(57)【要約】【課題】  本発明はフロントスポイラー装置に係り、昇降装置の簡素化を図り、主としてキャブオーバ型トラック等の大型貨物車に適用可能なフロントスポイラー装置を提供することを目的とする。【解決手段】  車体の前部に取り付き、開口部が形成されたフロントバンパと、該フロントバンパの裏面側に固着され、前記開口部と一致する開口部が形成された走行風導入ケーシングと、該走行風導入ケーシングに上下動可能に取り付く移動部材と、該移動部材を上方へ付勢するコイルバネと、前記移動部材に固定され、車両の停車時にフロントバンパの裏面側に格納されるフロントスポイラーとからなり、車両走行風の増加に応じ、前記移動部材がコイルバネのバネ力に抗して下方へ移動し、フロントスポイラーがフロントバンパの下部から順次突出することを特徴とする。【選択図】    図２
2008230542.tif 000002
【特許請求の範囲】
【請求項１】
車体の前部に取り付き、開口部が形成されたフロントバンパと、
該フロントバンパの裏面側に固着され、前記開口部と一致する開口部が形成された走行風導入ケーシングと、
該走行風導入ケーシングに上下動可能に取り付く移動部材と、
該移動部材を上方へ付勢するコイルバネと、
前記移動部材に固定され、車両の停車時にフロントバンパの裏面側に格納されるフロントスポイラーとからなり、
車両走行風の増加に応じ、前記移動部材がコイルバネのバネ力に抗して下方へ移動し、フロントスポイラーがフロントバンパの下部から順次突出することを特徴とするフロントスポイラー装置。
【請求項２】
前記フロントバンパの開口部は車幅方向の左右に形成され、各開口部に前記走行風導入ケーシングが固着され、各走行風導入ケーシングに取り付く移動部材に前記フロントスポイラーが支持されていることを特徴とする請求項１に記載のフロントスポイラー装置。
【発明の詳細な説明】
【技術分野】
【０００１】
本発明は、車体下部への走行風の流入を抑制して、車体前部の浮き上がりを防止するフロントスポイラー装置に関する。
【背景技術】
【０００２】
従来周知のように、昨今、車体下部への走行風の流入を抑制する格納式のフロントスポイラー装置が多くの車両に搭載されており、フロントスポイラーによって、高速走行時に車体前部に作用する揚力が低減されて良好な走行性が得られ、燃費も向上する。
そして、従来、この種のフロントスポイラーの昇降に、電動モータ（アクチュエータ）を使用した昇降装置が用いられている。
【０００３】
しかし、斯様に電動モータを使用した昇降装置を用いることで、車両速度が該昇降装置の作動速度に達したかを検知するセンサや、該センサの出力信号を基に昇降装置を制御するコントロール部、そして、電動モータの回転力を昇降駆動力に変換するリンク機構やウォームギヤ等が必要となるため、低燃費デバイスとしての構造が複雑となってコストがかかり、また、重量増により低燃費効果が目減りするといった問題があった。
【０００４】
一方、特許文献１には、走行風の風圧に応じて突出量が変化するフロントスポイラーを車体前部に設け、高速走行時に車体前部の下方を覆うようにフロントスポイラーを突出させるようにした自動開閉式フロントスポイラー装置が開示されている。
而して、この従来例によれば、フロントスポイラーが必要とされない低速走行時に、フロントスポイラーはばね等によって上昇し、フロントスポイラーの効果が大きく要求される高速走行時に、走行風を利用してフロントスポイラーが下方へ自動的に突出するため、既述した電動モータを用いた昇降装置に比し構造が簡素化し、コストもかからないといった利点を有している。
【特許文献１】特開昭５０−９８０１９号公報
【発明の開示】
【発明が解決しようとする課題】
【０００５】
しかし乍ら、特許文献１に開示された自動開閉式フロントスポイラー装置は、走行風の風圧に応じてフロントスポイラーの突出量が変化する構造上、低速走行時に於ても、走行風を受けることができるようにフロントスポイラーをフロントバンパの下部から車体の前方へ突出させておく必要がある。
このため、低速走行時に通常必要とされるフロントスポイラーのアプローチアングル（フロントスポイラーの先端と前輪の外周とを結ぶ線と、接地面とのなす角度）を確保すると、フロントバンパの位置が高くなり、例えばキャブオーバ型トラックにあっては、正面衝突時に乗用車がキャブの前部にもぐり込んでしまうといった事態が発生してしまう。
【０００６】
このため、特許文献１の如く、低速走行時にフロントスポイラーをフロントバンパの下部から車体の前方へ突出させておく構造をキャブオーバ型トラック等には適用できないのが実情であった。
本発明は斯かる実情に鑑み案出されたもので、昇降装置の簡素化を図り、主としてキャブオーバ型トラック等の大型貨物車に適用可能なフロントスポイラー装置を提供することを目的とする。
【課題を解決するための手段】
【０００７】
斯かる目的を達成するため、請求項１に係るフロントスポイラー装置は、車体の前部に取り付き、開口部が形成されたフロントバンパと、該フロントバンパの裏面側に固着され、前記開口部と一致する開口部が形成された走行風導入ケーシングと、該走行風導入ケーシングに上下動可能に取り付く移動部材と、該移動部材を上方へ付勢するコイルバネと、前記移動部材に固定され、車両の停車時にフロントバンパの裏面側に格納されるフロントスポイラーとからなり、車両走行風の増加に応じ、前記移動部材がコイルバネのばね力に抗して下方へ移動し、フロントスポイラーがフロントバンパの下部から順次突出することを特徴とする。
【０００８】
そして、請求項２に係る発明は、請求項１に記載のフロントスポイラー装置に於て、前記フロントバンパの開口部は車幅方向の左右に形成され、各開口部に前記走行風導入ケーシングが固着され、各走行風導入ケーシングに取り付く移動部材に前記フロントスポイラーが支持されていることを特徴とする。
【発明の効果】
【０００９】
請求項１に係る発明によれば、車両走行風を利用して、自動的にフロントスポイラーをフロントバンパの裏面側へ格納したり、フロントバンパの下方への突出を繰り返すように構成したので、電動モータを使用した従来のフロントスポイラー装置に比し、車両速度を検知するセンサや昇降装置を制御するコントロール部等が不要となって昇降装置の構造の簡素化が図れ、コストを抑えることができる利点を有する。
【００１０】
また、本発明は、車両停車時や低速走行時にフロントスポイラーを完全にフロントバンパの裏面側に格納してしまう構造上、低速走行時に必要とされるフロントスポイラーのアプローチアングルを確保してもフロントバンパの位置が高くなってしまう不具合がなく、キャブオーバ型トラック等の大型貨物車に適用することができる利点を有する。
そして、請求項２に係る発明によれば、高速走行時の大きな風圧がフロントスポイラーに掛かっても、フロントバンパの左右に配した移動部材によって、フロントスポイラーが確実且つ強固に支持されているため、フロントスポイラーは長期に亘って本来の機能を奏することが可能である。
【発明を実施するための最良の形態】
【００１１】
以下、本発明の実施形態を図面に基づいて詳細に説明する。
図１に於て、１はキャブオーバ型トラック３のキャブ５に取り付くフロントバンパで、図２に示すように該フロントバンパ１は、キャブ５の車幅方向全体に配置されるフロントバンパ本体７と、該フロントバンパ本体７の中央に設けた凹部９を覆うカバー１１とで構成されている。そして、前記凹部９に、フロントバンパ本体７の軽量化を図る目的で５個の開口部１３，１５，１７，１９，２１が形成されると共に、図１に示すように左右の開口部１３，１５と開口部１９，２１に対応してカバー１１に横長の開口部２３，２５が設けられている。尚、図２に示すように開口部１３，１５，１９，２１は、中央の開口部１７を境に左右対称な形状である。
【００１２】
そして、フロントバンパ本体７の裏面に、後述するフロントスポイラー２７の昇降装置２９，３１が取り付けられている。
図３及び図４は昇降装置２９，３１の詳細を示し、図中、３３は前記開口部１３と同一形状の開口部３５が上部正面に形成された縦長形状のケーシングからなる走行風導入ケーシングで、図２に示すように該走行風導入ケーシング３３は、開口部３５を前記開口部１３と一致させてフロントバンパ本体７の裏面に取付ブラケット３７を介して取り付けられており、図４に示すように開口部１３を流下した走行風Ｗが、開口部３５から走行風導入ケーシング３３内に流入するようになっている。
【００１３】
また、図２に示すようにフロントバンパ本体７の左側に取り付く昇降装置３１も、前記取付ブラケット３７と左右対称な取付ブラケット３９を介して走行風導入ケーシング３３が、開口部３５を前記開口部２１と一致させてフロントバンパ本体７の裏面に取り付けられており、昇降装置３１の内部構造は昇降装置２９と同一である。
そして、走行風導入ケーシング３３の下部は開口し、当該部位に、上部が走行風導入ケーシング３３内に開口するボックス状の移動部材（ばね力と走行風圧によりピストンのように動く部材）４１が上下動可能に取り付けられている。
【００１４】
移動部材４１は、走行風導入ケーシング３３の内側上部に一端が固定されたコイルバネ４３に懸吊されており、コイルバネ４３の他端側は移動部材４１の内側底部に接続されている。そして、キャブオーバ型トラック３の停車時に、移動部材４１は図３に示すようにコイルバネ４３のばね力で上方へ引き上げられて、その外周に突設したストッパ４５が走行風導入ケーシング３３の下部に当接している。
【００１５】
そして、左右の移動部材４１の正面側（フロントバンパ１側）下部に、キャブ５の車幅方向全体に配置される樹脂製のフロントスポイラー２７が固着されており、既述したように移動部材４１がコイルバネ４３のばね力で上方へ引き上げられて、図３の如く移動部材４１のストッパ４５が走行風導入ケーシング３３の下部に当接するとき、フロントスポイラー２７は完全にフロントバンパ１の裏面側に格納された状態にある。そして、図４に示すように車両速度が増加し、開口部１３，２１から流入する走行風Ｗの量が増加して移動部材４１に対する圧入が増加すると、移動部材４１がコイルバネ４３のばね力に抗して下方へ移動し、これに連動してフロントスポイラー２７がフロントバンパ１の下部から徐々に突出するようになっている。
【００１６】
この後、キャブオーバ型トラック３の車速が低下して開口部１３，２１から流入する走行風Ｗの量が減少すると、コイルバネ４３のばね力が打ち勝って、移動部材４１が該コイルバネ４３のばね力で引き上げられてフロントスポイラー２７が上昇し、そして、キャブオーバ型トラック３が完全に停車すると、フロントスポイラー２７がフロントバンパ１の裏面側に完全に格納されるようになっている。
【００１７】
尚、図示しないが移動部材４１の底部には、走行風Ｗによる移動部材４１の下降に支障を来さぬように小さな排水孔が設けられており、雨天走行時に開口部１３，２１から走行風導入ケーシング３３内に浸入した雨が、該排水孔から外部に排水されるようになっている。
本実施形態に係るフロントスポイラー装置４７はこのように構成されているから、図３に示すようにキャブオーバ型トラック３の停車時は、移動部材４１がコイルバネ４３のばね力で上方へ引き上げられ、これに伴い、フロントスポイラー２７は完全にフロントバンパ１の裏面側に格納された状態にある。
【００１８】
そして、キャブオーバ型トラック３が走行を開始するに従い、開口部１３，２１から走行風導入ケーシング３３内に流入する走行風Ｗの量が増加するが、コイルバネ４３のばね力が移動部材４１を押し下げようとする力に打ち勝っている間、移動部材４１は下方へ移動せず、フロントスポイラー２７はフロントバンパ１の裏面側に完全に格納された状態のままである。
【００１９】
この後、車両速度が増加し、開口部１３，２１から流入する走行風Ｗの量が増加して移動部材４１に対する圧入が増加すると、コイルバネ４３のばね力に打ち勝って移動部材４１が下方へ移動し、これに連動してフロントスポイラー２７がフロントバンパ１の下部から徐々に突出する。
そして、高速走行時に、図４の如くフロントスポイラー２７がフロントバンパ１の下方へ完全に突出して車体下部への走行風の流入を抑制し、車体前部の浮き上がりを防止する。そして、高速走行時の大きな風圧がフロントスポイラー２７に掛かっても、フロントバンパ１の左右に配した昇降装置２９，３１の移動部材４１によって、フロントスポイラー２７は確実且つ強固に支持されて本来の機能を奏する。
【００２０】
而して、キャブオーバ型トラック３の車速が低下して開口部１３，２１から流入する走行風Ｗの量が減少すると、コイルバネ４３のばね力が打ち勝って、移動部材４１が該コイルバネ４３のばね力で引き上げられてフロントスポイラー２７が徐々に上昇し、キャブオーバ型トラック３が完全に停車すると、フロントスポイラー２７がフロントバンパ１の裏面側に完全に格納される。
【００２１】
このように本実施形態は、車両走行風を利用して、自動的にフロントスポイラー２７をフロントバンパ１の裏面側へ格納したり、フロントバンパ１の下方への突出を繰り返すように構成したので、電動モータを使用した従来のフロントスポイラー装置に比し、車両速度を検知するセンサや昇降装置を制御するコントロール部等が不要となって昇降装置２９，３１の構造の簡素化が図れ、コストを抑えることができる利点を有する。
【００２２】
また、既述したように特許文献１に開示された従来例は、低速走行時に於ても、走行風を受けることができるようにフロントスポイラーをフロントバンパの下部から車体の前方へ突出させておく必要があるため、低速走行時に必要とされるフロントスポイラーのアプローチアングルを確保すると、フロントバンパの位置が高くなってしまう不具合があったが、本実施形態は、車両停車時や低速走行時にフロントスポイラー２７を完全にフロントバンパ１の裏面側に格納してしまう構造上、低速走行時に必要とされるフロントスポイラーのアプローチアングルを確保してもフロントバンパの位置が高くなってしまう不具合がなく、キャブオーバ型トラック等の大型貨物車に適用することができる利点を有する。
【００２３】
更に、高速走行時の大きな風圧がフロントスポイラー２７に掛かっても、フロントバンパ１の左右に配した昇降装置２９，３１の移動部材４１によって、フロントスポイラー２７が確実且つ強固に支持されているため、フロントスポイラー２７は長期に亘って本来の機能を奏することが可能である。
尚、本発明は前記実施形態に限定されるものではなく、例えば、走行風導入ケーシングと移動部材を円筒形状等にすることもできる。
【図面の簡単な説明】
【００２４】
【図１】請求項１及び請求項２の一実施形態に係るフロントスポイラー装置を搭載したキャブオーバ型トラックのキャブの全体斜視図である。
【図２】フロントスポイラー装置の分解斜視図である。
【図３】停車時及び低速走行時のフロントスポイラー装置の断面図である。
【図４】高速走行時のフロントスポイラー装置の断面図である。
【符号の説明】
【００２５】
１  フロントバンパ
３  キャブオーバ型トラック
５  キャブ
７  フロントバンパ本体
９  凹部
１１  カバー
１３，１５，１７，１９，２１，２３，２５，３５  開口部
２７  フロントスポイラー
２９，３１  昇降装置
３３  走行風導入ケーシング
３７，３９  取付ブラケット
４１  移動部材
４３  コイルバネ
４５  ストッパ
４７  フロントスポイラー装置
【図１】
2008230542.tif 000003
【図２】
2008230542.tif 000004
【図３】
2008230542.tif 000005
【図４】
2008230542.tif 000006